(57)【要約】【課題】建設作業や点検作業を簡易化することができる水車埋設品、補強板付水車埋設品、足場台付水車埋設品および水車を提供する。【解決手段】実施の形態による水車埋設品は、水車の流路を画定する筒状構造物と、筒状構造物に設けられた開口と、開口を外側から覆う格納ボックスと、格納ボックスに設けられた梁と、を備える。梁は、筒状構造物の内側からアクセスされることによって、筒状構造物の内面から流路に突出した突出位置と、格納ボックスに格納された格納位置とに位置付け可能である。【選択図】図４
2019218923.tif 000002
【特許請求の範囲】
【請求項１】
水車の流路を画定する筒状構造物と、
前記筒状構造物に設けられた開口と、
前記開口を外側から覆う格納ボックスと、
前記格納ボックスに設けられた梁と、を備え、
前記梁は、前記筒状構造物の内側からアクセスされることによって、前記筒状構造物の内面から前記流路に突出した突出位置と、前記格納ボックスに格納された格納位置とに位置付け可能である、水車埋設品。
【請求項２】
前記梁は、前記突出位置と前記格納位置との間で、前記格納ボックスに対して回動可能に設けられている、請求項１に記載の水車埋設品。
【請求項３】
前記梁は、前記突出位置と前記格納位置との間で、前記格納ボックスに対して水平方向に移動可能に設けられている、請求項１に記載の水車埋設品。
【請求項４】
前記梁は、前記突出位置に位置付けられたとき、前記筒状構造物を補強する補強板が取付け可能であるとともに、足場台が取付け可能である、請求項１〜３のいずれか一項に記載の水車埋設品。
【請求項５】
前記梁に折り畳み可能に設けられた足場台を更に備え、
前記梁が前記格納位置に位置付けられたとき、前記足場台は折り畳まれた状態で前記梁と共に前記格納ボックスに格納される、請求項１〜３のいずれか一項に記載の水車埋設品。
【請求項６】
前記格納ボックスは、周方向に複数設けられており、
前記格納ボックスの各々に、前記梁が設けられており、
前記梁の各々が前記突出位置に位置付けられたとき、前記足場台は前記筒状構造物の内面に沿った環状の足場を形成する、請求項５に記載の水車埋設品。
【請求項７】
請求項１〜６のいずれか一項に記載の水車埋設品と、
前記梁に取付けられ、前記筒状構造物を補強する補強板と、を備える、補強板付水車埋設品。
【請求項８】
請求項１〜４のいずれか一項に記載の水車埋設品と、
前記梁に取付けられた足場台と、を備える、足場台付水車埋設品。
【請求項９】
前記格納ボックスは、周方向に複数設けられており、
前記格納ボックスの各々に、前記梁が設けられており、
前記足場台は、隣り合う２つの前記梁の上に跨るように取付けられている、請求項８に記載の足場台付水車埋設品。
【請求項１０】
請求項１〜６のいずれか一項に記載の水車埋設品を備える、水車。
【発明の詳細な説明】
【技術分野】
【０００１】
本発明の実施の形態は、水車埋設品、補強板付水車埋設品、足場台付水車埋設品および水車に関する。
【背景技術】
【０００２】
立軸バルブ水車などの水車は、周囲をコンクリートで打設された外側ケーシングの内側に配置される。バルブ水車の建設時には、まず、外側ケーシングを据付けすべき位置に搬送し固定する。次に、外側ケーシングの周囲にコンクリートを打設する。コンクリート打設後、クレーンなどにより外側ケーシングの内側にバルブ（水車本体）やステーベーンなどを搬入し、バルブを外側ケーシングに対して固定する。
【０００３】
ここで、コンクリート打設時には、外側ケーシングは、周囲のコンクリートから圧力を受ける。外側ケーシングの剛性が十分でない場合、その圧力により外側ケーシングが変形してしまうおそれがある。このため、一般に、コンクリート打設時には、変形防止のために補強材が用いられる。
【０００４】
例えば、図１７および図１８に示すように、周囲にコンクリート１０２を打設する前に、外側ケーシング１０３の内面に複数の補強材１３１が取付けられる。補強材１３１は、外輪部１３１ａと、外輪部１３１ａの内側に配置された内部に空洞を有する内輪部１３１ｂと、外輪部１３１ａと内輪部１３１ｂとを連結する複数の梁１３１ｃと、によって構成される。補強材１３１は、梁１３１ｃが内輪部１３１ｂと外側ケーシング１０３との間で突っ張って、外側ケーシング１０３の内面を押圧することで、外側ケーシング１０３の変形を防止する。このような補強材１３１は、外部で据付けすべき位置に据付けされる前の外側ケーシング１０３の内側に溶接される。そして、コンクリート打設後、補強材１３１は撤去される。この際、グラインダで外側ケーシング１０３の内面が滑らかに仕上げられる。補強材１３１の撤去後、バルブが外側ケーシング１０３の内側に設置される。
【０００５】
一方、バルブ水車１０１の設置時や点検時には、作業者による作業のため、外側ケーシング１０３の内側に足場が取付けられる。例えば、図１９および図２０に示すように、外側ケーシング１０３とバルブ１０４との間に、複数の足場１３２が取付けられる。足場１３２は、足場台１３２ａと、足場台１３２ａを支持する梁１３２ｂと、によって構成される。足場１３２は、図２０に示すように、外側ケーシング１０３の周方向に複数設けられる。足場１３２は、バルブ水車１０１の設置時や点検時に、その都度その取付けが行われる。このような足場１３２を外側ケーシング１０３に取付ける際には、まず梁１３２ｂが外側ケーシング１０３の内面に溶接される。その後、足場台１３２ａが梁１３２ｂの上に取付けられる。この足場１３２は、バルブ水車の設置や点検が終わった後、撤去される。足場１３２の撤去時には、グラインダで外側ケーシング１０３の内面が滑らかに仕上げられる。
【０００６】
このように、上述した補強材は、コンクリート打設後には撤去され、その後のバルブ水車の設置時には足場が取付けられる。このため、外側ケーシングへの補強材の取付け作業や、足場台を取付けるための梁を外側ケーシングに溶接する作業、補強材および足場の撤去作業など、水車の建設時や点検時の作業量が多くなり、多くの手間がかかっていた。更に、これらの補強材や足場の取付け時および撤去時には、そのための仮設足場の取付けから行わなければならず、この点においても作業量が多くなり、多くの時間を要していた。
【先行技術文献】
【特許文献】
【０００７】
【特許文献１】特開昭５１−６３２６号公報
【発明の概要】
【発明が解決しようとする課題】
【０００８】
本発明は、このような点を考慮してなされたものであり、建設作業や点検作業を簡易化することができる水車埋設品、補強板付水車埋設品、足場台付水車埋設品および水車を提供することを目的とする。
【課題を解決するための手段】
【０００９】
実施の形態による水車埋設品は、水車の流路を画定する筒状構造物と、筒状構造物に設けられた開口と、開口を外側から覆う格納ボックスと、格納ボックスに設けられた梁と、を備える。梁は、筒状構造物の内側からアクセスされることによって、筒状構造物の内面から流路に突出した突出位置と、格納ボックスに格納された格納位置とに位置付け可能である。
【００１０】
また、実施の形態による補強板付水車埋設品は、上述した水車埋設品と、梁に取付けられ、筒状構造物を補強する補強板と、を備えている。
【００１１】
また、実施の形態による足場台付水車埋設品は、上述した水車埋設品と、梁に取付けられた足場台と、を備えている。
【００１２】
また、実施の形態による水車は、上述した水車埋設品を備えている。
【発明の効果】
【００１３】
本発明によれば、建設作業や点検作業を簡易化することができる。
【図面の簡単な説明】
【００１４】
【図１】図１は、第１の実施の形態による水車埋設品を備えた水車を示す縦断面図である。
【図２】図２は、第１の実施の形態において、梁が格納ボックスに格納された状態を示す縦断面図である。
【図３】図３は、図２をＡ方向から見た矢視図である。
【図４】図４は、第１の実施の形態において、梁が格納ボックスから突出した状態を示す縦断面図である。
【図５】図５は、図４の状態のときに水車埋設品を上方から見た平面図である。
【図６】図６は、第１の実施の形態による、梁の先端に補強板が取付けられた補強板付水車埋設品を示す縦断面図である。
【図７】図７は、図６の補強板付水車埋設品を上方から見た平面図である。
【図８】図８は、第１の実施の形態による、梁に足場台が取付けられた足場台付水車埋設品を示す縦断面図である。
【図９】図９は、図８の足場台付水車埋設品を上方から見た平面図である。
【図１０】図１０は、第２の実施の形態において、梁が格納ボックスに格納された状態を示す縦断面図である。
【図１１】図１１は、第２の実施の形態において、梁が格納ボックスから突出した状態を示す縦断面図である。
【図１２】図１２は、第３の実施の形態において、梁および足場台が格納ボックスに格納された状態を示す縦断面図である。
【図１３】図１３は、第３の実施の形態において、梁が格納ボックスから突出した状態であって、足場台が展開していないときの様子を示す縦断面図である。
【図１４】図１４は、図１３をＡ方向から見た矢視図である。
【図１５】図１５は、図１４の足場台が展開しているときの様子を示す図である。
【図１６】図１６は、図１５を上方から見た平面図である。
【図１７】図１７は、一般的な補強材が取付けられた補強材付水車埋設品を示す縦断面図である。
【図１８】図１８は、図１７の補強材付水車埋設品を上方から見た平面図である。
【図１９】図１９は、一般的な足場が取付けられた足場付水車埋設品を示す縦断面図である。
【図２０】図２０は、図１９の足場付水車埋設品を上方から見た平面図である。
【発明を実施するための形態】
【００１５】
（第１の実施の形態）
以下、図面を参照して、本発明の実施の形態による水車埋設品、補強板付水車埋設品、足場台付水車埋設品および水車について説明する。ここでは、水車の一例として、バルブ水車を例にとって説明する。
【００１６】
まず、図１を用いて、バルブ水車１について説明する。
【００１７】
バルブ水車１は、図示しない上池から流水を導く流路内に設置されている。流路は、周囲がコンクリート２で覆われた筒状構造物である外側ケーシング３によって画定されている。本実施の形態では、外側ケーシング３は、鉛直方向に延びており、図１に示すバルブ水車１は、立軸バルブ水車となっている。
【００１８】
バルブ水車１は、上述した外側ケーシング３と、バルブ４（水車本体）と、バルブ４の下流端部に回転可能に設けられたランナ５と、を備えている。ランナ５は、ランナボス５ａと、ランナボス５ａに保持された複数のランナベーン５ｂと、を含んでいる。ランナベーン５ｂは、ランナボス５ａに対して回動可能になっており、ランナベーン５ｂの開度が調整可能になっている。バルブ４の内部には、図示しない発電機が収容されており、この発電機と、ランナボス５ａとが、回転主軸を介して連結されている。このことにより、ランナベーン５ｂが水流を受けると、ランナベーン５ｂ、ランナボス５ａおよび回転主軸が共に回転し、この回転駆動力によって発電機が発電を行う。ランナ５から流出した流水は、ドラフト管６を介して図示しない下池（または放水路）に導かれる。
【００１９】
バルブ４と外側ケーシング３との間には、ランナ５に流入する水が流れる流路７が画定されている。この流路７内におけるランナ５の上流側に、複数のガイドベーン８が設けられている。ガイドベーン８は、ランナ５に流入する水流の流量を調整可能になっている。すなわち、ガイドベーン８は、バルブ４に対して回動可能になっており、ガイドベーン８の開度が調整可能になっている。
【００２０】
ガイドベーン８の上流側には、複数のステーベーン９が設けられている。ステーベーン９は、ガイドベーン８に向かう水流を整流するための部材である。また、ステーベーン９は、バルブ４を外側ケーシング３に対して固定する機能も有している。ステーベーン９は、外側ケーシング３の周方向に放射状に設けられており、外側ケーシング３とバルブ４とを接続している。
【００２１】
また、バルブ４と外側ケーシング３との間には、点検通路１０が設けられている。点検通路１０は、バルブ４から外側ケーシング３に延びている。なお、点検通路１０は、ステーベーン９とともに、バルブ４を外側ケーシング３に対して固定する機能も有している。
【００２２】
次に、本実施の形態による水車埋設品について説明する。水車埋設品という用語は、上述した外側ケーシング３とともにコンクリート２に埋設される部材を意味する用語として用いている。本実施の形態による水車埋設品２０は、外側ケーシング３と格納ボックス２１と梁２２とを有している。以下に、図２〜図５を用いて、格納ボックス２１および梁２２について説明する。
【００２３】
図２〜図４に示すように、外側ケーシング３には、開口３ａが設けられている。格納ボックス２１は、外側ケーシング３に設けられており、開口３ａを外側から覆うように形成されている。格納ボックス２１は、外側には開口を有していない。また、格納ボックス２１は、外側からコンクリートで覆われており、外側ケーシング３内の流路７から格納ボックス２１内に流入した水を封止可能に構成されている。
【００２４】
梁２２は、格納ボックス２１に設けられている。梁２２は、図２に示すような格納ボックス２１に格納された位置（格納位置）と、図４に示すような梁２２が流路７に突出した位置（突出位置）とに位置付け可能になっている。本実施の形態では、梁２２は、格納位置と突出位置との間で格納ボックス２１に対して回動可能に構成されている。より具体的には、梁２２は、一端部（図２の下端部）が、図２の紙面に垂直な方向に延びる回動軸２３に支持されており、梁２２は、この回動軸２３を中心に格納ボックス２１に対して回動可能に設けられている。
【００２５】
図４に示すように、梁２２が突出位置に位置付けられたとき、梁２２は外側ケーシング３に対してほぼ垂直に、水平方向に延びている。この突出位置に位置付けられた梁２２は、この突出位置から図４の反時計周りの方向に回動することがないよう、梁２２の回動が規制される。梁２２の下端部は、格納ボックス２１に支持されている。梁２２が突出位置に位置付けられたとき、梁２２の先端（内側端）とバルブ４との間には隙間が形成されており、梁２２がバルブ４に接触することを防止している。
【００２６】
突出位置に位置付けられた梁２２は、図４の時計回りの方向に力が与えられると、格納位置に向けて回動し、図２に示すような格納位置に位置付けられるようになっている。梁２２は格納位置に位置付けられると、全体的に格納ボックス２１に格納され、流路７に突出しないようになっている。
【００２７】
梁２２は、他端部（図２の上端部）における外側ケーシング３の内側（流路７側）に、例えばフックのような把持部（不図示）が取付け可能になっている。この把持部をクレーンなどにより引っ張ることによって、梁２２が外側ケーシング３の内側（図２の反時計回りの方向）に倒れるように回動したり、梁２２を起立させるように（図２の時計回りの方向）に回動したりする。このようにして、梁２２は、外側ケーシング３の内側からアクセスされることによって回動し、格納位置と突出位置とに位置付けられるようになっている。
【００２８】
図５に示すように、上述した格納ボックス２１は、外側ケーシング３の内面に周方向に離間して複数設けられている。格納ボックス２１の各々に、梁２２が格納されている。また、開口３ａおよび格納ボックス２１は、図３に示すように、外側ケーシング３の内側から見たときに、格納位置に位置付けられた梁２２に沿うように形成されている。各梁２２が突出位置に位置付けられたとき、図５に示すように、各梁２２は外側ケーシング３の中心部を向くように放射状に配置されている。このような梁２２が、図１に示すように、外側ケーシング３の縦方向（鉛直方向）に異なる位置で複数段、設けられている。
【００２９】
梁２２は、突出位置に位置付けられたとき、補強板３１が取付け可能になっている。より具体的には、梁２２は、その先端に補強板３１を取付けるための補強板取付部（不図示）を有している。また、梁２２は、突出位置に位置付けられたとき、作業者の足場となる足場台３２が取付け可能になっている。より具体的には、梁２２は、足場台３２を取付けるための足場台取付部（不図示）を有している。
【００３０】
次に、図６および図７を用いて、本実施の形態による補強板付水車埋設品について説明する。補強板付水車埋設品２０ａは、梁２２に補強板３１が取付けられた水車埋設品であり、上述した水車埋設品２０と外側ケーシング３を補強する補強板３１とを備えている。上述したように、外側ケーシング３の周囲にコンクリート２を打設する際、外側ケーシング３は、周囲のコンクリート２から圧力を受ける。外側ケーシング３の剛性が十分でない場合、その圧力により外側ケーシング３が変形してしまうおそれがある。このため、コンクリート打設時の外側ケーシング３の変形を防止するために、外側ケーシング３の内側に補強板３１が取付けられる。
【００３１】
補強板３１は、突出位置に位置付けられた各梁２２の先端に取付けられる。図６に示すように、補強板３１は、上方から見たときに内部に空洞を有する円環状の鋼板であってもよい。あるいは、補強板３１は、周方向に強固に連結された複数の鋼板で構成されていてもよい。補強板３１の外縁部に、放射状に配置された複数の梁２２の先端の各々が取付けられる。各梁２２の先端に補強板３１が取付けられると、補強板３１は、各梁２２を補強板３１と外側ケーシング３の内面との間で突っ張らせて、外側ケーシング３の内面を押圧する。こうして、外側ケーシング３の変形を防止することができる。なお、ここでは補強板３１は梁２２の先端に取付けられる構成としたが、これに限られない。補強板３１を複数の梁２２の上に跨るように配置し、梁２２間を固く連結することで、外側ケーシング３を補強する構成としてもよい。
【００３２】
次に、図８および図９を用いて、本実施の形態による足場台付水車埋設品について説明する。足場台付水車埋設品２０ｂは、梁２２に足場台３２が取付けられた水車埋設品であり、上述した水車埋設品２０と足場台３２とを備えている。バルブ水車１の設置時や点検時に、作業者による作業のため、外側ケーシング３の内側に足場台３２が取付けられる。
【００３３】
足場台３２は、突出位置に位置付けられた各梁２２に取付けられる。足場台３２は、上方から見たときに梁２２と重なるように配置される。より具体的には、足場台３２は、隣り合う２つの梁２２の上に跨るように配置され、梁２２にボルトなどにより締結されて取付けられる。突出位置に位置付けられた梁２２に足場台３２が取付けられたとき、足場台３２の先端（内側端）とバルブ４との間には隙間が形成されており、足場台３２がバルブ４に接触することを防止している。また、図９に示すように、足場台３２は、外側ケーシング３の内面（または周方向）に沿って環状の足場を形成するように複数配置される。
【００３４】
次に、このような構成からなる本実施の形態の作用効果について説明する。
【００３５】
ここではまず、バルブ水車１を建設する方法について説明する。バルブ水車１を建設する方法には、外側ケーシング３を含む水車埋設品２０を据付ける工程と、バルブ水車１を設置する工程と、が含まれる。
【００３６】
水車埋設品２０を据付ける工程では、まず、外側ケーシング３に設けられた格納ボックス２１の各々に、回動軸２３を介して梁２２を取付ける。
【００３７】
続いて、外側ケーシング３を据付けすべき位置に搬送し固定する。
【００３８】
次に、図４および図５に示すように、各梁２２を、外側ケーシング３の内側からアクセスして、突出位置に位置付ける。本実施の形態では、梁２２の上端部に取付けられた把持部を、クレーンなどにより引っ張ることによって、梁２２を外側ケーシング３の内側に倒れるように回動させて、突出位置に位置付ける。
【００３９】
そして、図６および図７に示すように、各梁２２の先端に補強板３１を取付けて、補強板付水車埋設品２０ａを得る。このことにより、補強板３１と外側ケーシング３の内面との間で各梁２２が突っ張り、外側ケーシング３の内面が梁２２で押圧される。なお、外側ケーシング３を複数に分割して据付すべき位置に搬送して固定する場合、梁２２に図８および図９に示す足場台３２を取付け、その足場台３２を利用して、分割された外側ケーシング３同士を溶接する作業を行ってもよい。また、外側ケーシング３１の変形を防止するための補強板３１の段数が十分でない場合、追加で別個の補強材を外側ケーシング３に溶接してもよい。この溶接作業の際には、上述した足場台３２を利用してもよい。
【００４０】
次に、外側ケーシング３の周囲にコンクリート２を打設する。
【００４１】
コンクリート２を打設した後、補強板３１を各梁２２の先端から取外し、補強板３１を撤去する。ここで、補強板３１を撤去する前または撤去した後に、梁２２に足場台３２を取付け、その足場台３２を利用して、外側ケーシング３に設けられた穴からコンクリート２と外側ケーシング３との間の隙間を埋めるためのグラウト注入のための作業を行ってもよい。
【００４２】
このようにして、水車埋設品２０を据付ける工程が終了する。
【００４３】
次に、バルブ水車１を設置する工程では、まず、図８および図９に示すように、突出位置に位置付けられた各梁２２の上に、作業者の足場となる複数の足場台３２を取付けて、足場台付水車埋設品２０ｂを得る。本実施の形態では、足場台３２を、隣り合う２つの梁２２の上に跨るように配置し、梁２２にボルトなどにより締結して取付ける。
【００４４】
次に、クレーンなどにより外側ケーシング３の内側にランナ５やバルブ４、ガイドベーン８、ステーベーン９などを搬入し配置する。
【００４５】
続いて、取付けられた足場台３２を利用して、作業者が、バルブ４やステーベーン９などを外側ケーシング３に固定するとともに、バルブ水車１を組立てる作業などを行う。
【００４６】
次に、足場台３２を各梁２２から取外し、足場台３２を撤去する。
【００４７】
その後、各梁２２に外側ケーシング３の内側からアクセスして、突出位置に位置付けられていた各梁２２を格納位置に位置付ける。本実施の形態では、梁２２の上端部に取付けられた把持部を、クレーンなどにより引っ張ることによって、梁２２を起立させるように回動させて、格納位置に位置付ける。
【００４８】
このようにして、バルブ水車１を設置する工程が終了する。
【００４９】
バルブ水車１が設置された後、バルブ水車１の運転を行うことができる。運転時には、梁２２が格納ボックス２１に格納された状態で、開口３ａを塞ぐカバー（不図示）を設けてもよい。この場合、格納ボックス２１と梁２２の存在によって水流の損失が増大することを抑制できる。
【００５０】
バルブ水車１の点検時には、各梁２２を突出位置に位置付けて、上述したバルブ水車１を設置する工程と同様にして、各梁２２に足場台３２が取付けられる。この足場台３２を利用して、作業者による点検作業が行われる。
【００５１】
このように本実施の形態によれば、格納ボックス２１に設けられた梁２２は、外側ケーシング３の内側からアクセスされることによって、外側ケーシング３の内面から流路に突出した突出位置と、格納ボックス２１に格納された格納位置とに位置付け可能である。このことにより、コンクリート打設時、またはバルブ水車１の設置時若しくは点検時に、外側ケーシング３の内側からアクセスして、格納位置に位置付けられていた梁２２を突出位置に容易に位置付けることができる。このため、突出位置に位置付けられた梁２２に補強板３１や足場台３２を容易に取付けることができ、作業量を低減することができる。すなわち、外側ケーシング３への補強板３１や足場台３２を取付ける際の溶接作業を不要にすることができるとともに、補強板３１や足場台３２の撤去作業を簡易化させることができる。更には、これらの作業を行うための仮設足場の取付け作業も不要にすることができる。この結果、バルブ水車１の建設作業や点検作業を簡易化することができる。また、これらの作業に要する作業員数を減らすことができるとともに、作業時間を短縮することができる。
【００５２】
また、本実施の形態によれば、バルブ水車１の建設作業や点検作業の後、突出位置に位置付けられていた梁２２を、格納位置に容易に位置付けることができる。このため、水車運転時などのように梁２２を必要としない場面においては梁２２が流路に突出することを防止でき、バルブ水車１の運転時には、水流の損失の増大を抑制することができる。
【００５３】
また、本実施の形態によれば、外側ケーシング３の内側からアクセスされることによって、梁２２を突出位置と格納位置とに位置付けることができる。このことにより、バルブ水車１の建設作業や点検作業では、クレーンなどにより外側ケーシング３の内側からアクセスすれば梁２２を突出位置に位置付けることができる。このため、これらの作業時にその都度、外部から梁２２を搬入することを不要にすることができ、作業を簡易化することができる。
【００５４】
また、本実施の形態によれば、梁２２は、突出位置と格納位置との間で、格納ボックス２１に対して回動可能に設けられている。このことにより、梁２２を、外側ケーシング３に設けられた格納ボックス２１に、鉛直方向に直立した姿勢で格納することができる。このため、梁２２の水平方向における格納スペースを小さくすることができる。その結果、外側ケーシング３が大型化することを抑制でき、外側ケーシング３の輸送を容易化させることができる。
【００５５】
また、本実施の形態によれば、コンクリート打設時には、梁２２に補強板３１が取付けられる。このことにより、補強板３１と外側ケーシング３の内面との間で各梁２２が突っ張り、外側ケーシング３の内面を梁２２で押圧することができる。このため、コンクリート打設時に外側ケーシング３が変形することを防止できる。
【００５６】
また、本実施の形態によれば、バルブ水車１の設置時や点検時には、梁２２に足場台３２が取付けられる。このことにより、バルブ水車１の設置や点検用の足場を容易に提供することができる。
【００５７】
また、本実施の形態によれば、足場台３２は、隣り合う２つの梁２２の上に跨るように取付けられている。このように２つの梁２２で１つの足場台３２を支持するため、足場台３２の強度を高め、作業の安全性を高めることができる。
【００５８】
また、本実施の形態によれば、梁２２は、突出位置に位置付けられたとき、補強板３１が取付け可能であるとともに、足場台３２が取付け可能である。このことにより、梁２２は、コンクリート打設時の外側ケーシング３の変形防止用としての用途と、バルブ水車１の設置時や点検時の作業のための足場用としての用途の両方に兼用することができる。
【００５９】
なお、上記実施の形態では、筒状構造物としての外側ケーシング３に、格納ボックス２１および梁２２が設けられている例を示したが、これに限らず、ドラフト管６を筒状構造物としてもよい。すなわち、ドラフト管６に開口が設けられ、当該開口を外側から格納ボックス２１で覆い、当該格納ボックス２１に梁２２が設けられるようにしてもよい。この場合においても、ドラフト管６の内側からアクセスされることによって、梁２２が突出位置と格納位置とに位置付け可能となる。
【００６０】
（第２の実施の形態）
次に、図１０および図１１を用いて、第２の実施の形態による水車埋設品、補強板付水車埋設品、足場台付水車埋設品および水車について説明する。
【００６１】
図１０および図１１に示す第２の実施の形態においては、梁が、突出位置と格納位置との間で、格納ボックスに対して水平方向に移動可能に設けられている点が主に異なり、他の構成は、図１〜図９に示す第１の実施の形態と略同一である。なお、図１０および図１１において、図１〜図９に示す第１の実施の形態と同一部分には同一符号を付して詳細な説明は省略する。
【００６２】
本実施の形態による梁２２は、外側ケーシング３に対してほぼ垂直に、水平方向に延びている。そして、梁２２は、図１０に示すような格納ボックス２１に格納された位置（格納位置）と、図１１に示すような梁２２が流路７に突出した位置（突出位置）とに位置付け可能になっている。本実施の形態では、梁２２は、格納位置と突出位置との間で格納ボックス２１に対して水平方向に移動可能に構成されている。梁２２の水平方向の移動は、格納ボックス２１に設けられたガイド部材（不図示）によりガイドされるようにしてもよい。
【００６３】
突出位置に位置付けられた梁２２は、この突出位置から図１１の左方向に移動することがないよう、梁２２の移動が規制される。梁２２の右端部は、格納ボックス２１に支持されている。突出位置に位置付けられた梁２２が不意に格納位置に向けて移動することを防止するために、梁２２を突出位置に維持可能な構成としてもよい。梁２２が突出位置に位置付けられたとき、梁２２の先端（内側端）とバルブ４との間に隙間が形成されており、梁２２がバルブ４に接触することを防止している。
【００６４】
突出位置に位置付けられた梁２２は、図１１の右方向に力が与えられると、格納位置に向けて水平移動し、図１０に示すような格納位置に位置付けられるようになっている。梁２２は格納位置に位置付けられると、全体的に格納ボックス２１に格納され、流路７に突出しないようになっている。
【００６５】
梁２２は、図１０の左端部に、例えばフックのような把持部（不図示）が取付け可能になっている。この把持部をクレーンなどにより引っ張ることによって、梁２２が外側ケーシング３に対して水平方向に移動する。このようにして、梁２２は、外側ケーシング３の内側からアクセスされることによって水平方向に移動し、格納位置と突出位置とに位置付けられるようになっている。
【００６６】
梁２２は、図１１に示す突出位置に位置付けられたとき、補強板３１や足場台３２が取付け可能になっている。梁２２に補強板３１を取付けることによって本実施の形態による補強板付水車埋設品２０ａが提供される。また、梁２２に足場台３２を取付けることによって本実施の形態による足場台付水車埋設品２０ｂが提供される。
【００６７】
このように本実施の形態によれば、格納ボックス２１に設けられた梁２２が、突出位置と格納位置との間で、格納ボックス２１に対して水平方向に移動可能に設けられた、水車埋設品、補強板付水車埋設品、足場台付水車埋設品および水車が提供される。
【００６８】
（第３の実施の形態）
次に、図１２〜図１６を用いて、第３の実施の形態による水車埋設品、補強板付水車埋設品、足場台付水車埋設品および水車について説明する。
【００６９】
図１２〜図１６に示す第３の実施の形態においては、梁に折り畳み可能に足場台が設けられており、梁が格納位置に位置付けられたとき、足場台は折り畳まれた状態で梁と共に格納ボックスに格納されている点が主に異なり、他の構成は、図１０および図１１に示す第２の実施の形態と略同一である。なお、図１２〜図１６において、図１０および図１１に示す第２の実施の形態と同一部分には同一符号を付して詳細な説明は省略する。
【００７０】
図１２〜図１５に示すように、本実施の形態では、梁２２に２つの足場台３２ａ、３２ｂが設けられている。足場台３２ａ、３２ｂは、梁２２に対して、梁２２の長手方向に延びる軸線を中心にしてそれぞれ回動可能に設けられている。これにより、足場台３２ａ、３２ｂは、図１４に示すような足場台３２ａ、３２ｂが折り畳まれた状態と、図１５に示すような足場台３２ａ、３２ｂが展開した状態とをとることができる。足場台３２ａ、３２ｂは、展開した状態にあるとき、図１５の下方向に回動することがないよう、足場台３２ａ、３２ｂの回動が規制される。足場台３２ａ、３２ｂは、梁２２に支持されている。
【００７１】
図１２に示すように梁２２が格納位置に位置付けられているとき、足場台３２ａ、３２ｂは折り畳まれた状態（直立した状態）で梁２２と共に格納ボックス２１に格納される。梁２２および足場台３２ａ、３２ｂは格納位置に位置付けられると、全体的に格納ボックス２１に格納され、流路７に突出しないようになっている。
【００７２】
一方、図１３に示すように梁２２が突出位置に位置付けられたとき、足場台３２ａ、３２ｂは、図１５および図１６に示すような展開した状態をとることができる。より具体的には、梁２２が突出位置に位置付けられたとき、クレーンなどにより引っ張ることによって、直立した状態の足場台３２ａ、３２ｂを回動させて展開した状態にすることができる。なお、梁２２が突出位置に位置付けられ、足場台３２ａ、３２ｂが展開した状態にあるとき、梁２２の先端（内側端）および足場台３２ａ、３２ｂの先端（内側端）とバルブ４との間には隙間が形成されており、梁２２および足場台３２ａ、３２ｂがバルブ４に接触することを防止している。
【００７３】
格納ボックス２１は、外側ケーシング３の内面に周方向に離間して複数設けられており、格納ボックス２１の各々に、このような足場台３２ａ、３２ｂが設けられた梁２２が格納されている。各梁２２が突出位置に位置付けられたときに、各足場台３２ａ、３２ｂが展開されると、図９に示すような外側ケーシング３の内面に沿った環状の足場が形成される。このようにして、バルブ水車１の設置時や点検時に、作業者による作業のための足場を形成することができる。なお、本実施の形態による水車埋設品２０は、作業者による作業のための足場を形成可能な足場台３２ａ、３２ｂを備えており、足場台付水車埋設品２０ｂと同等の機能を有している。
【００７４】
また、梁２２は、突出位置に位置付けられたとき、補強板３１が取付け可能になっている。より具体的には、梁２２は、その先端に補強板３１を取付けるための補強板取付部（不図示）を有している。このため、コンクリート打設時の外側ケーシング３の変形を防止するために、外側ケーシング３の内側に補強板３１を取付けて、補強板付水車埋設品２０ａを提供することができる。
【００７５】
このように本実施の形態によれば、梁２２に折り畳み可能に足場台３２ａ、３２ｂが設けられており、梁２２が格納位置に位置付けられたとき、足場台３２ａ、３２ｂは折り畳まれた状態で梁２２と共に格納ボックス２１に格納されている。このことにより、バルブ水車１の設置時や点検時に、クレーンなどにより外側ケーシング３の内側からアクセスして梁２２を突出位置に位置付けて、足場台３２ａ、３２ｂを展開させれば、足場を形成することができる。このため、外部から足場台を搬入することを不要にすることができ、また、足場台の取付け作業を不要にすることができる。この結果、バルブ水車１の設置作業や点検作業を簡易化することができる。
【００７６】
なお、本実施の形態では、梁が、突出位置と格納位置との間で、格納ボックスに対して水平方向に移動可能に設けられた構成の例を示したが、これに限らず、第１の実施形態と同様、梁が、突出位置と格納位置との間で、格納ボックスに対して回動可能に設けられた構成としてもよい。
【００７７】
以上述べた実施の形態によれば、建設作業や点検作業を簡易化することができる。
【００７８】
以上、本発明のいくつかの実施の形態を説明したが、これらの実施の形態は、例として提示したものであり、発明の範囲を限定することは意図していない。これらの新規な実施の形態は、その他の様々な形態で実施されることが可能であり、発明の要旨を逸脱しない範囲で、種々の省略、置き換え、変更を行うことができる。これらの実施の形態やその変形は、発明の範囲や要旨に含まれるとともに、特許請求の範囲に記載された発明とその均等の範囲に含まれる。
【符号の説明】
【００７９】
１：バルブ水車、２：コンクリート、３：外側ケーシング、３ａ：開口、６：ドラフト管、７：流路、２０：水車埋設品、２０ａ：補強板付水車埋設品、２０ｂ：足場台付水車埋設品、２１：格納ボックス、２２：梁、３１：補強板、３２、３２ａ、３２ｂ：足場台
【図１】
2019218923.tif 000003
【図２】
2019218923.tif 000004
【図３】
2019218923.tif 000005
【図４】
2019218923.tif 000006
【図５】
2019218923.tif 000007
【図６】
2019218923.tif 000008
【図７】
2019218923.tif 000009
【図８】
2019218923.tif 000010
【図９】
2019218923.tif 000011
【図１０】
2019218923.tif 000012
【図１１】
2019218923.tif 000013
【図１２】
2019218923.tif 000014
【図１３】
2019218923.tif 000015
【図１４】
2019218923.tif 000016
【図１５】
2019218923.tif 000017
【図１６】
2019218923.tif 000018
【図１７】
2019218923.tif 000019
【図１８】
2019218923.tif 000020
【図１９】
2019218923.tif 000021
【図２０】
2019218923.tif 000022